(57)【要約】【課題】ビデオサーバシステムをはじめとする映像信号や音声信号の再生装置において、出力する音声信号を切替える際の切替えノイズと切替えタイミング遅延を改善する。【解決手段】出力する音声信号を切替える指令に応じて、現在出力中である第１の再生音声信号の切替え時点を決定する。決定された切替え時点に基づき、第１の再生音声信号の終端部にフェードアウト処理を行う。また前記指令に応じて、読み出した第２の再生音声信号の開始部にフェードイン処理を行い、バッファメモリに蓄積する。前記切替え時点において、出力する音声信号を第１の再生音声信号から第２の再生音声信号に切替える。【選択図】図１
2012089217.tif 000002
【特許請求の範囲】
【請求項１】
複数の記録媒体から読み出された音声信号を切替えて出力する音声再生装置であって、
第１の記録媒体から読み出された音声信号を処理する第１の再生処理部と、
該第１の再生処理部で処理された第１の再生音声信号を蓄積する第１のバッファメモリと、
第２の記録媒体から読み出された音声信号を処理する第２の再生処理部と、
該第２の再生処理部で処理された第２の再生音声信号を蓄積する第２のバッファメモリと、
前記第１のバッファメモリに蓄積された第１の再生音声信号と前記第２のバッファメモリに蓄積された第２の再生音声信号を処理し、いずれか一方を出力する出力処理部と、
前記音声再生装置の動作を制御する制御部を有し、
前記出力処理部が出力する再生音声信号を前記第１の再生音声信号から第２の再生音声信号に切替える場合には、前記制御部は前記出力処理部と前記第２の再生処理部を制御して、
前記第２の再生処理部は、前記制御部の制御に基づき、前記第２の記録媒体から読み出した前記第２の再生音声信号の開始部にフェードイン処理を行って前記第２のバッファメモリに蓄積し、
前記出力制御部は、前記制御部の制御に基づき、出力する前記再生音声信号の切替え時点を決定し、前記第１のバッファメモリから読み出した前記第１の再生音声信号の終端部にフェードアウト処理を行って出力し、前記切替え時点において出力する再生音声信号を前記第２のバッファメモリに蓄積された前記第２の再生音声信号に切替えることを特徴とする音声再生装置。
【発明の詳細な説明】
【技術分野】
【０００１】
本発明は音声再生装置に係り、特に音声出力の切替え時のノイズを低減した音声再生装置に関するものである。
【背景技術】
【０００２】
ビデオサーバシステムをはじめとする映像信号や音声信号（以下、双方を合わせて情報信号と呼ぶ）の再生装置においては、磁気テープ、光ディスク、ハードディスクをはじめとする複数の記録媒体に記録された情報信号を使用者からの指示に応じて再生し、例えば通信回線を介して前記使用者に提供する機能を有する。
このために前記再生装置は、他の装置、或いは前記装置自身が発生した制御指示を随時受信し、これに応答する機能を有する。また、ある記録媒体から他の記録媒体に切替えて情報信号を再生し、或いは同じ記録媒体内の他の位置に切替えて情報信号を再生する機能を有する。
【０００３】
さらに前記再生装置は、情報信号の再生中に再生信号が途切れるような不具合を起こさないようにするため、前記記録媒体から再生された情報信号を一定量だけ蓄積するためのバッファメモリを備えている。該バッファメモリに蓄積された情報信号は逐次読み出され、前記使用者に対して提供される。
特許文献１においては、かかる再生装置の一例としてのノンリニアバンクシステムについて、記録媒体に他の機器からの情報信号をファイルする際に前記機器での頭出しを自動的に行う方法が開示されている。
【先行技術文献】
【特許文献】
【０００４】
【特許文献１】特開２００５−２１０４９０号公報
【発明の概要】
【発明が解決しようとする課題】
【０００５】
しかしながら、かかる再生装置では後記するように、情報信号をある記録媒体から他の記録媒体に切替えて再生し、或いは同じ記録媒体内の他の位置に切替えて再生する際の音声出力信号に、切替えノイズを発生する要因がある。切替えノイズを発生した場合には、これを聞いた使用者が不快感を催す問題がある。
本発明の目的は前記した問題に鑑み、音声出力の切替え時のノイズを低減した音声再生装置を提供することにある。
【課題を解決するための手段】
【０００６】
前記課題を解決するため本発明は、複数の記録媒体から読み出された音声信号を切替えて出力する音声再生装置であって、
第１の記録媒体から読み出された音声信号を処理する第１の再生処理部と、該第１の再生処理部で処理された第１の再生音声信号を蓄積する第１のバッファメモリと、第２の記録媒体から読み出された音声信号を処理する第２の再生処理部と、該第２の再生処理部で処理された第２の再生音声信号を蓄積する第２のバッファメモリと、前記第１のバッファメモリに蓄積された第１の再生音声信号と前記第２のバッファメモリに蓄積された第２の再生音声信号を処理し、いずれか一方を出力する出力処理部と、前記音声再生装置の動作を制御する制御部を有し、
前記出力処理部が出力する再生音声信号を前記第１の再生音声信号から第２の再生音声信号に切替える場合には、前記制御部は前記出力処理部と前記第２の再生処理部を制御して、前記第２の再生処理部は、前記制御部の制御に基づき、前記第２の記録媒体から読み出した前記第２の再生音声信号の開始部にフェードイン処理を行って前記第２のバッファメモリに蓄積し、前記出力制御部は、前記制御部の制御に基づき、出力する前記再生音声信号の切替え時点を決定し、前記第１のバッファメモリから読み出した前記第１の再生音声信号の終端部にフェードアウト処理を行って出力し、前記切替え時点において出力する再生音声信号を前記第２のバッファメモリに蓄積された前記第２の再生音声信号に切替えることを特徴としている。
【０００７】
また本発明は、記録媒体へ映像信号に伴い書き込まれ該記録媒体から読み出された複数の音声信号を切替えて出力する音声再生装置における音声出力の切替え方法であって、
出力する再生音声信号を切替えるための指令が発せられたか否かを判定する判定ステップと、該判定ステップでの判定の結果、出力する再生音声信号を切替えるための指令が発せられたと判定された場合には、前記映像信号のフレームに基づき再生音声信号の切替え時点を決定する決定ステップと、該決定ステップで決定された切替え時点に基づき出力中である第１の再生音声信号の終端部をフェードアウト処理するフェードアウトステップと、前記判定ステップでの判定の結果、出力する再生音声信号を切替えるための指令が発せられたと判定された場合には、前記第１の再生音声信号とは異なる第２の再生音声信号を前記記録媒体から読み出して該第２の再生音声信号の開始部をフェードイン処理するフェードインステップを有し、
前記決定ステップで決定された切替え時点において、出力する音声信号を前記第１の再生音声信号から前記第２の再生音声信号に切替えることを特徴としている。
【発明の効果】
【０００８】
本発明によれば、音声出力の切替え時のノイズを低減した音声再生装置を提供でき、使用者の不快感の解消に寄与できるという効果がある。
【図面の簡単な説明】
【０００９】
【図１】本発明の一実施例における音声再生装置のブロック図である。
【図２】従来の再生音声信号の一例を示す波形図である。
【図３】本発明の一実施例における再生音声信号を示す波形図である。
【図４】本発明の一実施例における音声出力の切替え方法を示すフロー図である。
【発明を実施するための形態】
【００１０】
以下、本発明の実施例につき図面を用いて説明する。
図１は、本発明の一実施例における音声再生装置のブロック図である。前記したようにかかる音声再生装置は、例えば通信回線を介して音声信号を送出するための構成要件を有することもあるが、ここでは、複数の記録媒体から音声信号を再生して出力するための構成要素のみを示している。もちろん前記音声再生装置は、映像信号を記録媒体から再生して出力する機能を併せて有しても良い。
【００１１】
第１の記録媒体１１Ａに記録されている音声信号は、記録媒体の種類に応じて磁気ヘッド、光ピックアップをはじめとする図示しないセンサにより読取られ、第１の再生処理部１２Ａにより再生処理されてベースバンドの音声信号となり、例えば半導体メモリによる第１のバッファメモリ１３Ａに蓄積される。同様に、第２の記録媒体１１Ｂに記録されている音声信号は、図示しないセンサにより読取られ、第２の再生処理部１２Ｂにより再生処理されてベースバンドの音声信号となり、第２のバッファメモリ１３Ｂに蓄積される。制御部１６は、音声再生装置１の全体の動作を制御し、例えば第１の再生処理部１２Ａ、第２の再生処理部１２Ｂに対しては、再生動作に関わる指令を行う。
【００１２】
出力処理部１４は、制御部１６からの指令に基づき第１のバッファメモリ１３Ａ、或いは第２のバッファメモリ１３Ｂの何れかに蓄積された音声信号を選択し、またはこれらを合成して出力端子１５に出力し、必要に応じて通信回線を介して使用者に供給する。出力処理部１４は、例えば映像信号と音声信号のディジタルインタフェース規格であるＨＤ−ＳＤＩ（High Definition Serial Digital Interface）ボードのような構成要素であって良い。この場合、出力端子１５も規格化されたＨＤ−ＳＤＩ出力端子であって良い。
ここで使用者からの指示に応じて、制御部１６が出力処理部１６に対して出力する音声信号を切替えるよう制御する場合について、図２を参照しながら述べる。
【００１３】
図２は、従来の再生音声信号の一例を示す波形図である。ここでは、出力処理部１４が出力端子１５に出力する音声信号を、第１の再生処理部１２Ａで処理された音声信号から第２の再生処理部１２Ｂで処理された音声信号に切替える場合を示す。従来は、第１のバッファメモリ１３Ａと第２のバッファメモリ１３Ｂの有無に関わりなく、切替え時に切替えノイズを発生して使用者に不快感を与えることが多かった。例えば切替える瞬間に、第１の再生部１２Ａで処理された音声信号が図２の（１）で示すように正方向の最大振幅にあり、第２の再生部１２Ｂで処理された音声信号が図２の（２）で示すように負方向の最大振幅にあったとする。この時、切替える瞬間には図２の（３）で示すような急激な波形の変化が引き起こされ、使用者はこれを切替えノイズとして聞き取ることになる。
同様の現象は、同じ再生処理部で処理された音声信号を再生し続ける場合でも、ループ再生（エンドレス再生）における記録媒体上の終点から起点に戻る際、或いは、無音の状態から急に大音量で音声が立上る際にも発生する。
【００１４】
そこで本発明の一実施例においては、この切替えノイズの発生を問題なくしたことを一つの特徴としている。また、ノイズの発生を低減したことにより、例えば使用者が違和感を持つほどの切替えタイミングの遅延が発生する弊害を解消したことを一つの特徴としている。以下、これらの事項につき図３を参照しながら説明する。
【００１５】
図３は、本発明の一実施例における再生音声信号を示す波形図である。
まず、図中の（１Ａ）で示した第１のバッファメモリ１３Ａの出力には図示するように、第１の記録媒体１１Ａから読み出され第１の再生処理部１２Ａで処理された再生音声信号Ａが出力されている。使用者が、第１の再生処理部１２Ａで処理された再生音声信号から第２の再生処理部１２Ｂで処理された再生音声信号に切替えるよう指示した際には、これに応じて制御部１６は、少なくも第２の再生処理部１２Ｂと出力処理部１４に対して、図示した“切替え指令”を送る。
【００１６】
出力処理部１４は、第１のバッファメモリ１３Ａに蓄積された再生音声信号Ａを参照して、切替える時点を決定する。例えば再生音声信号が、映像信号に伴って記録された音声信号であれば、映像信号の最終フレームを決定することで、音声信号を切替える時点が決定される。出力処理部１４は、前記した切替え指令を受けた後、最終フレームの切替点まで規定サンプル数の再生音声信号Ａを、図３の（２Ａ）で示すようにフェードアウトさせながら出力端子１５に出力する。即ち、前記したフェードアウトの処理は、例えばＨＤ−ＳＤＩボードを含む出力処理部１４で行われる。
【００１７】
一方、先の切替え指令を受けた第２の再生処理部１２Ｂは、第２の記録媒体１１Ｂから音声信号を読み出し始める。第２の再生処理部１２Ｂで読み出された直後の再生音声信号Ｂを図３の（１Ｂ）で示す。次いで第２の再生処理部１２Ｂは、再生音声信号Ｂの立ち上り部分を図３の（２Ｂ）で示すようにフェードインさせるように処理して、第２のバッファメモリ１３Ｂに蓄積する。即ち、前記したフェードインの処理は、第２の再生処理部１２Ｂで行われる。
【００１８】
図３で“切替え”と記した時点は、前記したように出力処理部１４が決定した切替え時点に相当する。この際に、出力処理部１４は出力端子１５に出力する再生音声信号を、図３の（３Ｂ）で示す第２のバッファメモリ１３Ｂから読み出した再生音声信号に切替える。これにより、図３の（４）で示すように、出力端子１５に出力される音声信号は、再生音声信号Ａから再生音声信号Ｂに切替えられる。前記したフェードアウト処理とフェードイン処理が施されているため、音声信号の波形が急峻に変化することはなく、従来のように切替え時点で不快な切替えノイズを発生する問題は解消されている。
【００１９】
切替えが行われた後は、第１の再生処理部１２Ａにおける第１の記録媒体１１Ａに記録された音声信号の再生処理は停止されて良い。また、図３において切替え指令が発生された時点から実際に音声信号が切替えられる時点まで、映像切替との同期に伴う若干の時間遅延が発生しているが、実際にはミリ秒のオーダでの時間遅延であり、使用者が違和感を持つことはない。当然ながら、再生音声信号Ｂから再生音声信号Ａへの切替えは前記と全く同様であるので、ここでは説明を省略する。
【００２０】
次に、本実施例における音声出力の切替え方法について述べる。
図４は、本発明の一実施例における音声出力の切替え方法を示すフロー図である。複数の記録媒体、及びこれに対応した再生処理部を有する音声再生装置において、第１の再生処理部１２Ａが第１の記録媒体１１Ａに記録されていた音声信号を再生して出力中とする。
【００２１】
ステップＳ４０１で制御部１６は、再生して出力する音声信号を切替えるよう指令が発せられたか否かを判定する。前記指令が発せられていないと判定された場合には（図中のＮｏ）、再度同じ判定を繰返す。
ステップＳ４０１での判定の結果、前記指令が発せられたと判定された場合には（図中のＹｅｓ）、制御部１６は前記指令を少なくも第２の再生処理部１２Ｂと出力処理部１４に伝達し、ステップＳ４０２に移行する。まず、再生中の音声信号は映像信号に伴って記録媒体に記録されている場合を考える。
【００２２】
ステップＳ４０２で出力処理部１４は、前記制御部１６からの指令を受けて再生する映像信号の最終フレームを決定する。例えば前記指令を受けた際の映像信号のフレームを最終フレームと決定する。
ステップＳ４０３で出力処理部１４は、第１のバッファメモリ１３Ａに蓄積された映像信号から、ステップＳ４０２で決定した映像信号の最終フレームを検出する。
さらにステップＳ４０４で出力処理部１４は、ステップＳ４０３で検出された前記最終フレームに対応する再生音声信号を、第１のバッファメモリ１３Ａに蓄積された音声信号から検出する。
【００２３】
ステップＳ４０５で出力処理部１４は、ステップＳ４０４で検出された再生音声信号の終端部に対してフェードアウト処理を行い、ステップＳ４０６で前記フェードアウト処理が行われた再生音声信号を出力端子１５に出力する。
なお、再生中の音声信号が映像信号とは関係なく記録媒体に記録されている場合には、前記した最終フレームの決定を行うことなく、音声信号切替え時点を決定して良いことは言うまでもない。
【００２４】
先にステップＳ４０１での判定の結果、前記指令が発せられたと判定された際に、別途ステップＳ４０７で第２の再生処理部１２Ｂは、第２の記録媒体１１Ｂに記録されていた音声信号を読み出し始める。
ステップＳ４０８で第２の再生処理部１２Ｂは、読み出した音声信号の開始部に対してフェードイン処理を行い、第２のバッファメモリ１３Ｂに蓄積する。
【００２５】
ステップＳ４０９で出力処理部１４は出力端子１５に出力する音声信号を、ステップＳ４０６で前記フェードアウト処理が行われた再生音声信号から、ステップＳ４０８で前記フェードイン処理が行われた再生音声信号に切替える。これにより、音声信号の切替え動作が完了する。
以上述べたように、本実施例によれば不快な切替えノイズや切替えタイミングの遅れによる違和感を伴うことなく、出力する音声信号を切替えることができる。これにより、切替えに人手を要することはなく、高価で高機能な周辺機器を要することもないため、価格の低減にも寄与することができる。
ここまで示した実施形態は一例であって、本発明を限定するものではない。図１のブロック図、図４のフロー図をはじめとして、本発明の趣旨に基づきながら異なる実施形態を考えられるが、いずれも本発明の範疇にある。
【符号の説明】
【００２６】
１：音声再生装置、１２Ａ：第１の再生処理部、１２Ｂ：第２の再生処理部、１３Ａ：第１のバッファメモリ、１３Ｂ：第２のバッファメモリ、１４：出力処理部、１５：音声出力端子、１６：制御部。
【図１】
2012089217.tif 000003
【図２】
2012089217.tif 000004
【図３】
2012089217.tif 000005
【図４】
2012089217.tif 000006